(57)【要約】【課題】内部での光ファイバの接続作業等における作業性を向上させることができる光成端箱を提供する。【解決手段】筐体２内部を一次側空間３１と二次側空間３２に隔てる区画壁３を備えた光成端箱１。一次側空間３１には入力側光ケーブル２０および出力側光ケーブル２６を導入できる。二次側空間３２には光分配器５および光コネクタ保留部６が設けられている。区画壁３には、入力側および出力側光コネクタ４Ａ、４Ｂが設けられている。入力側光コネクタ４Ａを介して、入力側光ケーブル２０に接続された一次側光ファイバ２１を二次側光ファイバ２２に接続できる。光分配器５は、二次側光ファイバ２２を複数の分岐側光ファイバ２３に分岐できる。出力側光コネクタ４Ｂは、分岐側光コネクタ２３ａを接続することで、分岐側光ファイバ２３を出力側光ファイバ２７に接続可能である。光コネクタ保留部６は、分岐側光コネクタ２３ａを保留可能である。【選択図】図１
2011013497.tif 000002
【特許請求の範囲】
【請求項１】
入力側光線路を分岐して複数の出力側光線路に接続する光成端箱であって、
筐体内に、前記筐体内部を一次側空間と二次側空間に隔てる区画壁が設けられ、前記一次側空間に入力側光線路および出力側光線路を導入でき、前記二次側空間に光分配器および光コネクタ保留部が設けられ、
前記区画壁に、入力側および出力側光コネクタが設けられ、
前記入力側光コネクタを介して、前記入力側光線路に接続された一次側光ファイバを二次側光ファイバに接続でき、
前記光分配器は、前記二次側光ファイバを複数の分岐側光ファイバに分岐でき、
前記出力側光コネクタは、前記分岐側光ファイバの先端の分岐側光コネクタを接続することで、前記分岐側光ファイバを、前記出力側光線路に接続された出力側光ファイバに接続可能であり、
前記光コネクタ保留部は、前記出力側光コネクタに接続されていない分岐側光コネクタを保留可能であることを特徴とする光成端箱。
【請求項２】
前記入力側光コネクタには、前記一次側光ファイバが前記一次側空間から接続可能であり、前記二次側光ファイバが前記二次側空間から接続可能であり、
前記出力側光コネクタには、前記分岐側光ファイバが前記二次側空間から接続可能であり、前記出力側光ファイバが前記一次側空間から接続可能であることを特徴とする請求項１に記載の光成端箱。
【請求項３】
前記筐体は、前記二次側空間を開閉する二次側扉部を有し、
前記光コネクタ保留部は、前記二次側扉部の内面に設けられていることを特徴とする請求項１または２に記載の光成端箱。
【請求項４】
前記筐体には、前記入力側光線路と前記一次側光ファイバの接続部、および前記出力側線路と出力側光ファイバの接続部を収納可能な光ファイバ接続トレイが設けられ、
前記光ファイバ接続トレイは、一側縁に設けられたヒンジ部において前記筐体に対し回動自在に取り付けられていることを特徴とする請求項１〜３のうちいずれか１項に記載の光成端箱。
【請求項５】
前記分岐側光ファイバは、光ファイバコードからなることを特徴とする請求項１〜４のうちいずれか１項に記載の光成端箱。
【請求項６】
前記区画壁は、前記筐体内部を一側方の一次側空間と他側方の二次側空間に隔てるものであることを特徴とする請求項１〜５のうちいずれか１項に記載の光成端箱。
【請求項７】
前記区画壁は、前記一次側空間を前記二次側空間の後方に確保するものであることを特徴とする請求項１〜５のうちいずれか１項に記載の光成端箱。
【発明の詳細な説明】
【技術分野】
【０００１】
本発明は、入力側の光線路を出力側の線路に接続する光成端箱に関する。
【背景技術】
【０００２】
光通信網の普及につれて、ビルや住宅等の建物内に光成端箱を設置して、屋外から導入された光ファイバケーブルと屋内用の光線路（インドアケーブル等）との接続箇所を光成端箱内に収納することが行われている（例えば特許文献１〜４参照）。
近年では、ＰＯＮ（Passive Optical Network）を利用した光通信ネットワークなどの構築において、光スプリッタにより光回線を分岐することが行われている。
【先行技術文献】
【特許文献】
【０００３】
【特許文献１】特許第３９０８１８８号公報
【特許文献２】特開２００８−９０９４号公報
【特許文献３】特開２００７−２９３１３６号公報
【特許文献４】特開２００６−１４５５８２号公報
【発明の概要】
【発明が解決しようとする課題】
【０００４】
しかしながら、従来の光成端箱では、回線数の増減などにより配線形態の変更等の作業が必要となる場合において、内部での光ファイバの取り回しの際の作業がしにくいという不満があった。
本発明は上記事情に鑑みてなされたものであって、内部での光ファイバの接続作業等における作業性を向上させることができる光成端箱を提供することを目的とする。
【課題を解決するための手段】
【０００５】
本発明の請求項１にかかる発明は、入力側光線路を分岐して複数の出力側光線路に接続する光成端箱であって、筐体内に、前記筐体内部を一次側空間と二次側空間に隔てる区画壁が設けられ、前記一次側空間に入力側光線路および出力側光線路を導入でき、前記二次側空間に光分配器および光コネクタ保留部が設けられ、前記区画壁に、入力側および出力側光コネクタが設けられ、前記入力側光コネクタを介して、前記入力側光線路に接続された一次側光ファイバを二次側光ファイバに接続でき、前記光分配器は、前記二次側光ファイバを複数の分岐側光ファイバに分岐でき、前記出力側光コネクタは、前記分岐側光ファイバの先端の分岐側光コネクタを接続することで、前記分岐側光ファイバを、前記出力側光線路に接続された出力側光ファイバに接続可能であり、前記光コネクタ保留部は、前記出力側光コネクタに接続されていない分岐側光コネクタを保留可能である光成端箱である。
本発明の請求項２にかかる発明は、請求項１において、前記入力側光コネクタには、前記一次側光ファイバが前記一次側空間から接続可能であり、前記二次側光ファイバが前記二次側空間から接続可能であり、前記出力側光コネクタには、前記分岐側光ファイバが前記二次側空間から接続可能であり、前記出力側光ファイバが前記一次側空間から接続可能である光成端箱である。
本発明の請求項３にかかる発明は、請求項１または２において、前記筐体が、前記二次側空間を開閉する二次側扉部を有し、前記光コネクタ保留部が、前記二次側扉部の内面に設けられている光成端箱である。
本発明の請求項４にかかる発明は、請求項１〜３のうちいずれか１項において、前記筐体には、前記入力側光線路と前記一次側光ファイバの接続部、および前記出力側線路と出力側光ファイバの接続部を収納可能な光ファイバ接続トレイが設けられ、前記光ファイバ接続トレイが、一側縁に設けられたヒンジ部において前記筐体に対し回動自在に取り付けられている光成端箱である。
本発明の請求項５にかかる発明は、請求項１〜４のうちいずれか１項において、前記分岐側光ファイバが光ファイバコードからなる光成端箱である。
本発明の請求項６にかかる発明は、請求項１〜５のうちいずれか１項において、前記区画壁が、前記筐体内部を一側方の一次側空間と他側方の二次側空間に隔てるものである光成端箱である。
本発明の請求項７にかかる発明は、請求項１〜５のうちいずれか１項において、前記区画壁が、前記一次側空間を前記二次側空間の後方に確保するものである光成端箱である。
【発明の効果】
【０００６】
本発明によれば、配線変更等の作業を、区画壁で区画された二次側空間のみで行うことができるため、光ファイバの取り回しがしやすく、作業が容易である。
また、作業者が誤って一次側空間内の光ファイバに触れることがないため、一次側空間内の配線に悪影響を与えずに作業を行うことができる。
また、回線を構成する入力側の光ファイバの数は、出力側の光ファイバの数を光分配器における分岐数で割った数でよいため、入力側の心数を少なくできる。
【図面の簡単な説明】
【０００７】
【図１】本発明の第１の実施形態である光成端箱の構造および光配線を示す模式図である。
【図２】光成端箱の外観を示す斜視図である。
【図３】区画壁および光コネクタアダプタを示す斜視図である。
【図４】光分配器および光コネクタ保留部を示す斜視図である。
【図５】光ファイバ接続トレイを示す斜視図である。
【図６】本発明の第２の実施形態である光成端箱の外観を示す斜視図である。
【図７】本発明の第３の実施形態である光成端箱の外観を示す斜視図である。
【図８】第１区画壁および光コネクタアダプタを示す斜視図である。
【図９】光ファイバ接続トレイを示す斜視図である。
【図１０】光分配器を示す斜視図である。
【図１１】光コネクタ保留部を示す斜視図である。
【図１２】本発明の光成端箱の応用例を示す模式図である。
【発明を実施するための形態】
【０００８】
以下、本発明の第１の実施形態である光成端箱１を、図面を参照して説明する。
図１は、光成端箱１の構造および光配線を示す模式図である。図２は、光成端箱１の外観を示す斜視図である。図３は、区画壁３および光コネクタアダプタ４を示す斜視図である。図４は、光分配器５および光コネクタ保留部６を示す斜視図である。図５は、光ファイバ接続トレイ７を示す斜視図である。
以下の説明において、各図の紙面手前側を前方といい、奥側を後方という。
【０００９】
光成端箱１は、入力側の光線路を分岐して複数の出力側光線路に接続するものである。
図１に示すように、光成端箱１は、筐体２内に、筐体２内部を一次側空間３１と二次側空間３２とに隔てる区画壁３が設けられ、区画壁３に複数の光コネクタアダプタ４（光コネクタ）が設けられている。
【００１０】
図２に示すように、筐体２は、筐体本体１１と、筐体本体１１の前面開口部１１ａを開閉する外扉部１４と、外扉部１４の内面側においてそれぞれ一次側空間３１および二次側空間３２を開閉する一対の扉部１２、１３とを備えている。
筐体本体１１は、略矩形の底壁１１ｂの両側縁に設けられた側壁１１ｃ、１１ｃと、底壁１１ｂの後縁に設けられた後壁１１ｄと、天壁１１ｅからなる。
【００１１】
図２に示すように、一次側空間３１における後壁１１ｄの下部内面には、入力側光ケーブル２０の端末を固定する入力側光ケーブル固定部１８と、出力側光ケーブル２６の端末を固定する出力側光ケーブル固定部１９が設けられている。
入力側光ケーブル固定部１８には、底壁１１ｂに形成された入力側導入口１６から一次側空間３１に導入された入力側光ケーブル２０の端末をインシュロックタイ等の固定具を用いて固定できる。
出力側光ケーブル固定部１９には、底壁１１ｂに形成された出力側導入口１７から一次側空間３１に導入された出力側光ケーブル２６の端末をインシュロックタイ等の固定具を用いて固定できる。
【００１２】
一次側扉部１２は、一次側空間３１を開閉自在に覆うことができる大きさとされており、側縁１２ａに設けられたヒンジ１２ｂにおいて一方の側壁１１ｃ（一次側空間３１側の側壁１１ｃ）に回動可能に取り付けられている。
二次側扉部１３は、二次側空間３２を開閉自在に覆うことができる大きさとされており、側縁１３ａに設けられたヒンジ１３ｂにおいて他方の側壁１１ｃ（二次側空間３２側の側壁１１ｃ）に回動可能に取り付けられている。
外扉部１４は、他方の側壁１１ｃに回動可能に取り付けられている。
【００１３】
図１〜図３に示すように、区画壁３は、後壁１１ｄの内面の上部に、後壁１１ｄ、底壁１１ｂおよび天壁１１ｅに対しほぼ垂直に設けられている。
図示例の区画壁３は、幅方向（図１〜図３における左右方向）の位置が略中央とされているが、区画壁３の幅方向位置はこれに限らず、いずれかの側方寄りの位置でもよい。
図２に示すように、一次側空間３１は区画壁３およびこれを延長した平面によって区画された筐体２内部空間の左半分（一側方空間）であり、二次側空間３２は、筐体２内部空間の右半分（他側方空間）である。
【００１４】
図３に示すように、光コネクタアダプタ４は、両側のコネクタ挿入口４ａから挿入した光コネクタどうしを接続するものであり、両側のコネクタ挿入口４ａが区画壁３の一方面および他方面側に開口している。
複数の光コネクタアダプタ４の配列は特に限定されないが、図２および図３に示すように、区画壁３の奥行き方向に沿う列を上下に多段に設けることができる。
【００１５】
図１、図２および図４に示すように、筐体２の二次側空間３２には、光分配器５および光コネクタ保留部６が設けられている。
光分配器５（光スプリッタ）は、二次側光ファイバ２２を複数の分岐側光ファイバ２３に分岐するものであり、二次側光ファイバ２２は入射端５ａに接続され、分岐側光ファイバ２３は出射端５ｂに接続される。
図４に示すように、光分配器５は、二次側空間３２において後壁１１ｄの下部の内面に取付具１１ｆにより取り付けられている。光分配器５は１または複数を使用でき、図示例では、２枚の光分配器５が積層されて使用されている。
【００１６】
図１、図２および図４に示すように、光コネクタ保留部６は、光コネクタアダプタ４に接続されていない分岐側光ファイバ２３の先端の分岐側光コネクタ２３ａを保留するものであって、分岐側光コネクタ２３ａを挿抜自在に挿入できる挿入口６ａを有する。
図示例では、複数の光コネクタ保留部６が二次側扉部１３の下部の内面に取り付けられている。光コネクタ保留部６は、二次側扉部１３の幅方向に沿う列が上下に多段に設けられている。
【００１７】
図１、図２および図５に示すように、筐体２の一次側空間３１には、１または複数の光ファイバ接続トレイ７が設けられている。
光ファイバ接続トレイ７は、入力側光ケーブル２０から引き出された光ファイバ２０ａと一次側光ファイバ２１との接続部２４を収納可能である。光ファイバ接続トレイ７には、出力側光ケーブル２６から引き出された光ファイバ２６ａと出力側光ファイバ２７との接続部２８も収納できる。
【００１８】
図２および図５に示す例では、３枚の光ファイバ接続トレイ７が一次側扉部１２の内面に積層されて取り付けられている。
図５に示すように、光ファイバ接続トレイ７のうち少なくとも１つは、上下方向に沿う一側縁７ａに設けられたヒンジ部７ｂにおいて一次側扉部１２に対し回動自在に取り付けられている。このため、光ファイバ接続トレイ７を接続部２４、２８の取り付けおよび取り外しなどの作業に適した姿勢とすることができる。
図示例では、光ファイバ接続トレイ７の一方面に設けられた複数の取付部７ｃに、接続部２４、２８を上下方向に沿って着脱自在に取り付けできる。
【００１９】
次に、光成端箱１における光配線について説明する。
図１および図２に示すように、入力側光線路となる光ファイバ２０ａを有する入力側光ケーブル２０は、一次側空間３１に導入され、入力側光ケーブル２０から引き出された光ファイバ２０ａは一次側光ファイバ２１の一端に接続され、接続部２４は光ファイバ接続トレイ７に収納される。接続部２４には、メカニカルスプライスによる接続、融着接続等を採用できる。
【００２０】
一次側光ファイバ２１の他端の光コネクタ２１ａ（光コネクタプラグ）は、一次側空間３１から光コネクタアダプタ４に接続される。図１では、光コネクタ２１ａは最も上に位置する光コネクタアダプタ４に接続されている。以下、この光コネクタアダプタ４を入力側光コネクタアダプタ４Ａ（入力側光コネクタ）ということがある。入力側光コネクタアダプタ４Ａの数は１または複数とすることができる。
この入力側光コネクタアダプタ４Ａには、二次側光ファイバ２２の一端の光コネクタ２２ａが二次側空間３２から接続され、これによって一次側光ファイバ２１と二次側光ファイバ２２とが光コネクタアダプタ４Ａを介して接続される。
【００２１】
二次側光ファイバ２２の他端は光分配器５の入射端５ａに接続される。出射端５ｂには複数の分岐側光ファイバ２３の一端が接続される。
分岐側光ファイバ２３の他端の分岐側光コネクタ２３ａ（光コネクタプラグ）は、光コネクタアダプタ４のうち出力側の光コネクタアダプタ４Ｂ（出力側光コネクタ）に、二次側空間３２から接続可能である。
出力側光コネクタアダプタ４Ｂは、光コネクタアダプタ４のうち入力側光コネクタアダプタ４Ａ以外のもののうち少なくとも一部であり、図１では最も上に位置する光コネクタアダプタ４Ａ以外のものは光コネクタアダプタ４Ｂである。出力側光コネクタアダプタ４Ｂの数は１または複数とすることができる。
複数の分岐側光ファイバ２３は、必要数が選択されて出力側光コネクタアダプタ４Ｂに接続される。
【００２２】
図４に示すように、光コネクタアダプタ４Ｂに接続されなかった分岐側光ファイバ２３の分岐側光コネクタ２３ａは、光コネクタ保留部６の挿入口６ａに挿入し、保留しておくことができる。
【００２３】
図１および図２に示すように、分岐側光ファイバ２３が接続された出力側光コネクタアダプタ４Ｂには、出力側光ファイバ２７の一端の光コネクタ２７ａ（光コネクタプラグ）が一次側空間３１から接続され、これによって分岐側光ファイバ２３と出力側光ファイバ２７とが光コネクタアダプタ４Ｂを介して接続される。
出力側光ファイバ２７の他端は、出力側光ケーブル２６から引き出された光ファイバ２６ａ（出力側光線路）と接続され、接続部２８は光ファイバ接続トレイ７に収納される。接続部２８には、メカニカルスプライスによる接続、融着接続等を採用できる。
【００２４】
このように、入力側光ケーブル２０の光ファイバ２０ａは、一次側光ファイバ２１、入力側光コネクタアダプタ４Ａ、および二次側光ファイバ２２を介して光分配器５に接続され、ここで分岐され、分岐側光ファイバ２３は出力側光コネクタアダプタ４Ｂ、および出力側光ファイバ２７を介して出力側光ケーブル２６の光ファイバ２６ａに接続される。
回線を構成する入力側の光ファイバ２０ａの数は、出力側の光ファイバ２６ａの数を光分配器５における分岐数で割った数に相当する。
【００２５】
入力側光ケーブル２０の光ファイバ２０ａ、一次側光ファイバ２１、二次側光ファイバ２２、分岐側光ファイバ２３は、多心あるいは単心の光ファイバであり、例えば、光ファイバ心線、光ファイバコード等、各種構成を採用できる。
分岐側光ファイバ２３には、特に光ファイバコード、例えば外径約２ｍｍの光ファイバコードを使用できる。
光コネクタ（光コネクタプラグ）２１ａ、２２ａ，２３ａ、２７ａ、光コネクタ（光コネクタアダプタ）４には、ＭＵ形光コネクタ（ＪＩＳ  Ｃ  ５９８３に制定されるＦ１４形光コネクタ。ＭＵ:Miniature-Unit coupling optical fiber connector）、ＳＣ形光コネクタ（ＪＩＳ  Ｃ  ５９７３に制定されるＦ０４形光コネクタ。ＳＣ：Single fiber Coupling optical fiber）、ＬＣ形光コネクタ（ルーセント社商標）等を採用できる。
【００２６】
次に、配線形態の変更等が必要となる場合の操作について説明する。
図１および図２に示すように、例えば、回線数を増やす場合などには、光コネクタ保留部６に保留されている分岐側光ファイバ２３のうち必要数を光コネクタ保留部６から外し、未接続の光コネクタアダプタ４Ｂに二次側空間３２から接続する。
分岐側光ファイバ２３は、光コネクタアダプタ４Ｂ、出力側光ファイバ２７を介して出力側光ケーブル２６の光ファイバ２６ａに接続され、新たな回線が増設される。
この操作は、二次側扉部１３を開き、二次側空間３２を開放した状態で行うことができる。この際、一次側扉部１２は閉じておくことができる。
【００２７】
光成端箱１によれば、配線変更の作業を、区画壁３で区画された二次側空間３２のみで行うことができるため、光ファイバの取り回しがしやすく、作業が容易である。
また、作業者が誤って一次側空間３１内の光ファイバに触れることがないため、一次側空間３１内の配線に悪影響を与えずに作業を行うことができる。
回線を構成する入力側の光ファイバ２０ａの数は、出力側の光ファイバ２６ａの数を光分配器５における分岐数で割った数でよく、入力側の心数を少なくできる。
【００２８】
図６は、本発明の第２の実施形態である光成端箱４１の外観を示す斜視図である。光成端箱４１は、図２に示す光成端箱１と同じ基本構成を有するが、光成端箱１に比べ、光コネクタアダプタ４、光分配器５、光コネクタ保留部６、および光ファイバ接続トレイ７等の数が多く、より多くの回線に対応できる。
【００２９】
図７は、本発明の第３の実施形態である光成端箱５１の外観を示す斜視図である。図８は、第１区画壁５３および光コネクタアダプタ４を示す斜視図である。図９は、光ファイバ接続トレイ７を示す斜視図である。図１０は、光分配器５を示す斜視図である。図１１は、光コネクタ保留部６を示す斜視図である。
【００３０】
図７に示すように、光成端箱５１は、筐体５２内に、筐体５２内部を一次側空間７１と二次側空間７２とに隔てる区画壁５３〜５５が設けられ、区画壁５３に複数の光コネクタアダプタ４が設けられている。
【００３１】
図７および図８に示すように、筐体５２は、筐体本体６１と、筐体本体６１の前面開口部６１ａを開閉する扉部６４とを備えている。
筐体本体６１は、略矩形の底壁６１ｂの両側縁に設けられた側壁６１ｃ、６１ｃと、底壁６１ｂの後縁に設けられた後壁６１ｄと、底壁６１ｂに平行な天壁６１ｅと、筐体本体６１の高さ方向の略中央に底壁６１ｂに平行に設けられた取付板６１ｆとを備えている。
扉部６４は、側縁６４ａに設けられたヒンジ部６４ｂを介して側壁６１ｃに回動可能に取り付けられている。扉部６４は、二次側空間７２を開閉する二次側扉部として機能する。
【００３２】
図７および図９に示すように、後壁６１ｄの下部内面には、底壁６１ｂに形成された入力側導入口１６から一次側空間７１に導入された入力側光ケーブル２０の端末を固定する入力側光ケーブル固定部１８と、底壁６１ｂに形成された出力側導入口１７から一次側空間７１に導入された出力側光ケーブル２６の端末を固定する出力側光ケーブル固定部１９が設けられている。
【００３３】
図７に示すように、筐体本体６１内の上部には、後壁６１ｄから間隔をおいて第１区画壁５３が設けられている。第１区画壁５３は、図７に示す通常状態では後壁６１ｄに対しほぼ平行とされ、表面５３ａが前面に向けられている。
この通常状態では、表面５３ａ側から光コネクタアダプタ４に対する光コネクタの接続作業が可能となる。
第１区画壁５３の下縁５３ｃには、この図における前方に向けて第１区画壁５３に垂直に延出する支持板５６が設けられている。支持板５６には、光コネクタアダプタ４に接続された光ファイバ２２、２３等を載置できる。
【００３４】
図８に示すように、第１区画壁５３は、下縁５３ｃに設けられたヒンジ部５３ｄによって取付板６１ｆの前端に回動自在に取り付けられており、手前側に回動させることにより開放状態とすることができる。
この開放状態では、第１区画壁５３の裏面５３ｂが上向きとなって露出し、この裏面５３ｂ側から光コネクタアダプタ４に対する光コネクタの接続作業が可能となる。
【００３５】
光コネクタアダプタ４は、両側のコネクタ挿入口４ａから挿入した光コネクタどうしを接続するものであり、両側のコネクタ挿入口４ａが区画壁５３の一方面および他方面側に開口している。
【００３６】
図７および図８に示すように、筐体本体６１内の第１区画壁５３より高い位置には、第２区画壁５４が設けられている。第２区画壁５４は、天壁６１ｅに対しほぼ平行とされ、天壁６１ｅから間隔をおいて設けられている。
【００３７】
図７および図９に示すように、底壁６１ｂの前部には、第３区画壁５５が設けられている。第３区画壁５５は、下縁５５ａに設けられたヒンジ部５５ｂによって底壁６１ｂに回動自在に取り付けられており、図７に仮想線で示す通常状態から手前に回動させることで、実線で示す開放状態とすることができる。
この開放状態では、第３区画壁５５の裏面５５ｃが上向きとなって露出し、この裏面５５ｃに設けられた光ファイバ接続トレイ７における作業が可能となる。
光ファイバ接続トレイ７のうち１つは、一側縁７ａに設けられたヒンジ部７ｂにおいて第３区画壁５５に対し回動自在に取り付けられている。
第３区画壁５５は、入力側導入口１６および出力側導入口１７よりも前方において底壁６１ｂに取り付けられている。
【００３８】
図７に示すように、二次側空間７２は、第１区画壁５３（通常状態）および第３区画壁５５（通常状態）の前面側、および第２区画壁５４の上面側に相当する空間である。
一次側空間７１は、第２区画壁５４の下面側にあって、第１区画壁５３（通常状態）および第３区画壁５５（通常状態）の後面側に相当する空間である。一次側空間７１は、区画壁５３、５５によって二次側空間７２の後方に確保された空間である。
区画壁５３、５５は、一次側空間７１を開閉する一次側扉部として機能する。
【００３９】
図１０に示すように、第２区画壁５４上には、１または複数の光分配器５が設けられている。光分配器５は第２区画壁５４上にあるため二次側空間７２に設けられていることになる。
図１１に示すように、扉部６４の下部の内面には、１または複数の光コネクタ保留部６が設けられている。光コネクタ保留部６は、扉部６４の下部内面にあるため、二次側空間７２に設けられていることになる。
図７および図９に示すように、光ファイバ接続トレイ７は第３区画壁５５の裏面５５ｃ側にあるため、一次側空間７１に設けられていることになる。また、入力側導入口１６および出力側導入口１７は第３区画壁５５の後側にあるため、入力側光ケーブル２０および出力側光ケーブル２６は一次側空間７１に導入される。
【００４０】
次に、光成端箱５１における光配線について説明する。
図７に示すように、入力側光ケーブル２０の光ファイバ２０ａは一次側光ファイバ２１の一端に接続され、接続部２４は光ファイバ接続トレイ７に収納される。
接続部２４を光ファイバ接続トレイ７に収納する作業は、第３区画壁５５を開放状態として行うことができる。
【００４１】
一次側光ファイバ２１の他端の光コネクタ２１ａは、一次側空間７１から光コネクタアダプタ４（入力側光コネクタアダプタ４Ａ）に接続される。図８に示すように、光コネクタ２１ａを入力側光コネクタアダプタ４Ａに接続する作業は、第１区画壁５３を開放状態として行うことができる。
この入力側光コネクタアダプタ４Ａには、二次側光ファイバ２２の一端の光コネクタ２２ａが二次側空間７２から接続され、これによって一次側光ファイバ２１と二次側光ファイバ２２とが光コネクタアダプタ４Ａを介して接続される。
光コネクタ２２ａを入力側光コネクタアダプタ４Ａに接続する作業は、第１区画壁５３を通常状態に戻して行うことができる。
【００４２】
図１０に示すように、二次側光ファイバ２２の他端は光分配器５の入射端５ａに接続され、出射端５ｂには複数の分岐側光ファイバ２３の一端が接続されている。
分岐側光ファイバ２３の他端の分岐側光コネクタ２３ａは、光コネクタアダプタ４のうち出力側の光コネクタアダプタ４Ｂに、二次側空間７２から接続可能である。
複数の分岐側光ファイバ２３は、必要数が選択されて出力側光コネクタアダプタ４Ｂに接続される。
光コネクタアダプタ４Ｂに接続されなかった分岐側光ファイバ２３の分岐側光コネクタ２３ａは、光コネクタ保留部６の挿入口６ａに挿入し、保留しておくことができる。
【００４３】
分岐側光ファイバ２３が接続された出力側光コネクタアダプタ４Ｂには、出力側光ファイバ２７の一端の光コネクタ２７ａが一次側空間７１から接続され、これによって分岐側光ファイバ２３と出力側光ファイバ２７とが光コネクタアダプタ４Ｂを介して接続される。
出力側光ファイバ２７の他端は、出力側光ケーブル２６の光ファイバ２６ａと接続され、接続部２８は光ファイバ接続トレイ７に収納される。
【００４４】
次に、配線形態の変更等が必要となる場合の操作について説明する。
図７に示すように、例えば、回線数を増やす場合などには、光コネクタ保留部６に保留されている分岐側光ファイバ２３のうち必要数を光コネクタ保留部６から外し、未接続の光コネクタアダプタ４Ｂに二次側空間７２から接続する。
分岐側光ファイバ２３は、光コネクタアダプタ４Ｂ、出力側光ファイバ２７を介して出力側光ケーブル２６の光ファイバ２６ａに接続され、新たな回線が増設される。
【００４５】
光成端箱５１によれば、配線変更の作業を、区画壁５３〜５５で区画された二次側空間７２のみで行うことができるため、光ファイバの取り回しがしやすく、作業が容易である。
また、作業者が誤って一次側空間７１内の光ファイバに触れることがないため、一次側空間７１内の配線に悪影響を与えずに作業を行うことができる。
【００４６】
なお、図示例では、入力側および出力側光コネクタとして光コネクタアダプタ４を用いたが、これに限らず、光コネクタ２２ａ、２３ａが接続可能な光コネクタレセプタクルを用いてもよい。
【００４７】
図１２は、光成端箱１の応用例を示す模式図である。
ここに示す例では、入力側光ケーブル２０が、ＦＴＭ（Fiber  Termination  Module）６０から、屋内や屋外に設置された光成端箱１に向けて配線され、出力側光ケーブル２６が、光成端箱１からビル６１内の各フロアや利用者宅６２に近いクロージャ６３に向けて配線される。この光クロージャ６３から光ドロップケーブル６４により利用者宅６２に回線が引き落とされる。
【符号の説明】
【００４８】
１、４１、５１・・・光成端箱、２、５２・・・筐体、３、５３〜５５・・・区画壁、４・・・光コネクタアダプタ（光コネクタ）、４Ａ・・・入力側光コネクタアダプタ（入力側光コネクタ）、４Ｂ・・・出力側光コネクタアダプタ（出力側光コネクタ）、５・・・光分配器、６・・・光コネクタ保留部、７・・・光ファイバ接続トレイ、７ａ・・・一側縁、７ｂ・・・ヒンジ部、１２・・・一次側扉部、１３・・・二次側扉部、２０・・・入力側光ケーブル、２０ａ・・・光ファイバ（入力側光線路）、２１・・・一次側光ファイバ、２２・・・二次側光ファイバ、２３・・・分岐側光ファイバ、２３ａ・・・分岐側光コネクタ、２６・・・出力側光ケーブル、２６ａ・・・光ファイバ（出力側光線路）、２７・・・出力側光ファイバ、３１、７１・・・一次側空間、３２、７２・・・二次側空間。
【図１】
2011013497.tif 000003
【図２】
2011013497.tif 000004
【図３】
2011013497.tif 000005
【図４】
2011013497.tif 000006
【図５】
2011013497.tif 000007
【図６】
2011013497.tif 000008
【図７】
2011013497.tif 000009
【図８】
2011013497.tif 000010
【図９】
2011013497.tif 000011
【図１０】
2011013497.tif 000012
【図１１】
2011013497.tif 000013
【図１２】
2011013497.tif 000014